(57)【要約】【課題】複数のサイズのシートに対応して、複数の位置において開閉部材を開位置で使用可能に構成したシート支持装置、画像読取装置及び画像形成装置を提供する。【解決手段】シート排出方向ＳＤに排出された原稿を支持する原稿排出トレイ３０３と、原稿排出トレイ３０３に対して収納及び引き出し可能に支持され、原稿を支持する延長トレイ１０３と、延長トレイ１０３に対して一端部を中心に閉位置と開位置との間で開閉可能に支持される回動ガイド１０４と、延長トレイ１０３が原稿排出トレイ３０３から引き出された引き出し位置において、延長トレイ１０３の引き出し方向Ｄ２への移動を規制する引き出し係合部３０３ｂと、を備え、原稿排出トレイ３０３は、延長トレイ１０３が引き出し位置よりも引き出し方向Ｄ２における上流に位置する際に、閉位置から開位置に移動する回動ガイド１０４が通過可能な開口部１０２を有する。【選択図】図４
2020138834.tif 000002
【特許請求の範囲】
【請求項１】
シート排出方向に排出されたシートを支持する第１支持部と、
前記第１支持部に対して収納及び引き出し可能に支持され、シートを支持する第２支持部と、
前記第２支持部に対して一端部を中心に閉位置と開位置との間で開閉可能に支持される開閉部材と、
前記第２支持部が前記第１支持部から引き出された引き出し位置において、前記第２支持部の引き出し方向への移動を規制する規制部と、を備え、
前記第１支持部は、前記第２支持部が前記引き出し位置よりも前記引き出し方向における上流に位置する際に、前記閉位置から前記開位置に移動する前記開閉部材が通過可能な開口部を有する、
ことを特徴とするシート支持装置。
【請求項２】
前記開口部は、前記開閉部材の前記一端部が前記第１支持部の前記シート排出方向における下流端よりも上流に位置する際に、前記閉位置から前記開位置に移動する前記開閉部材が通過可能に構成される、
ことを特徴とする請求項１に記載のシート支持装置。
【請求項３】
前記開口部の前記シート排出方向に直交する幅方向における幅は、前記第２支持部の前記幅方向における幅よりも小さく、前記開閉部材の前記幅方向における幅よりも大きい、
ことを特徴とする請求項１又は２に記載のシート支持装置。
【請求項４】
前記第２支持部が前記第１支持部に収納された収納位置において、前記第２支持部の収納方向への移動を規制する収納規制部を備え、
前記開口部は、前記第２支持部が前記収納位置に位置する際に、前記閉位置から前記開位置に移動する前記開閉部材が通過可能に構成される、
ことを特徴とする請求項１乃至３のいずれか１項に記載のシート支持装置。
【請求項５】
前記第２支持部は、前記開位置に位置する前記開閉部材の前記シート排出方向における上流側の面に当接する第１当接部と、前記開位置に位置する前記開閉部材の前記シート排出方向における下流側の面に当接する第２当接部と、を有する、
ことを特徴とする請求項１乃至４のいずれか１項に記載のシート支持装置。
【請求項６】
前記第２支持部は、引き出し方向に沿って延びるベース面と、前記ベース面に対して下方に窪み、前記閉位置に位置する前記開閉部材を格納する凹部と、前記シート排出方向において前記凹部の下流に配置されると共に前記ベース面よりも上方に突出し、前記第２当接部が形成される凸部と、を有する、
ことを特徴とする請求項５に記載のシート支持装置。
【請求項７】
前記第１当接部は、前記凹部の底面に形成される、
ことを特徴とする請求項６に記載のシート支持装置。
【請求項８】
前記凸部は、前記第２支持部を移動させる際に操作可能な操作部を有する、
ことを特徴とする請求項６又は７に記載のシート支持装置。
【請求項９】
前記開閉部材の他端部には、前記開閉部材を開く際に操作可能な開閉操作部を有する、
ことを特徴とする請求項１乃至８のいずれか１項に記載のシート支持装置。
【請求項１０】
前記開閉部材は、前記開位置において、前記第１支持部に排出されたシートの前記シート排出方向における下流への移動を規制する、
ことを特徴とする請求項１乃至９のいずれか１項に記載のシート支持装置。
【請求項１１】
前記第１支持部に３４０ｍｍ／ｓよりも速く６５０ｍｍ／ｓよりも遅い速度でシートを排出する排出部を備える、
ことを特徴とする請求項１乃至１０のいずれか１項に記載のシート支持装置。
【請求項１２】
請求項１乃至１１のいずれか１項に記載のシート支持装置と、
前記シート支持装置に排出されるシートの画像を読み取る読取部と、を備えた、
ことを特徴とする画像読取装置。
【請求項１３】
請求項１２に記載の画像読取装置と、
前記画像読取装置が画像を読み取るシートとは別のシートに画像を形成する画像形成部と、を備えた、
ことを特徴とする画像形成装置。
【発明の詳細な説明】
【技術分野】
【０００１】
本発明は、シートを支持するシート支持装置並びにこれを備える画像読取装置及び画像形成装置に関する。
【背景技術】
【０００２】
従来、下部に設けられたプリンタ部と、上部に設けられたスキャナ部と、を有し、プリンタ部において画像が形成された記録用紙を排出トレイに排出する複合機が提案されている（特許文献１参照）。排出トレイには、延長トレイが移動可能に支持されており、延長トレイには、回動トレイが回動可能に支持されている。延長トレイは、排出トレイに収容される第１位置と、排出トレイの前端よりも手前側に引き出された第２位置と、の間で移動可能である。
【０００３】
回動トレイは、延長トレイの凹部に収容された収容状態と、収容状態から回動された傾斜状態と、に位置決め可能に構成されており、傾斜状態に位置決めされることで排出された記録用紙が延長トレイから落下するのを防止する。延長トレイが第１位置に位置している際には、収容状態の回動トレイの上方は排出トレイの上板によって覆われており、回動トレイを収容状態から傾斜状態に開くことはできない。そして、延長トレイを第２位置に引き出すことで初めて、回動トレイは主要状態から傾斜状態に開くことができる。
【先行技術文献】
【特許文献】
【０００４】
【特許文献１】特開２０１５−６７４４８号公報
【発明の概要】
【発明が解決しようとする課題】
【０００５】
ところで、近年、複数のサイズの記録用紙を使用可能な複合機等の画像形成装置が望まれている。しかしながら、特許文献１に記載の回動トレイは、延長トレイを第２位置に引き出した状態でしか収容状態から傾斜状態に開くことができず、複数のサイズの記録用紙に対応していない。
【０００６】
そこで、本発明は、複数のサイズのシートに対応して、複数の位置において開閉部材を開位置で使用可能に構成し、上述した課題を解決したシート支持装置、画像読取装置及び画像形成装置を提供することを目的とする。
【課題を解決するための手段】
【０００７】
本発明は、シート支持装置において、シート排出方向に排出されたシートを支持する第１支持部と、前記第１支持部に対して収納及び引き出し可能に支持され、シートを支持する第２支持部と、前記第２支持部に対して一端部を中心に閉位置と開位置との間で開閉可能に支持される開閉部材と、前記第２支持部が前記第１支持部から引き出された引き出し位置において、前記第２支持部の引き出し方向への移動を規制する規制部と、を備え、前記第１支持部は、前記第２支持部が前記引き出し位置よりも前記引き出し方向における上流に位置する際に、前記閉位置から前記開位置に移動する前記開閉部材が通過可能な開口部を有する、ことを特徴とする。
【発明の効果】
【０００８】
本発明によると、複数のサイズのシートに対応して、複数の位置において開閉部材を開位置で使用可能となる。
【図面の簡単な説明】
【０００９】
【図１】本実施の形態に係るプリンタを示す全体正面図。
【図２】画像読取装置を示す斜視図。
【図３】画像読取装置を示す断面図。
【図４】シート支持装置を示す斜視図。
【図５】延長トレイを示す斜視図。
【図６】（ａ）は回動ガイドを示す上面斜視図、（ｂ）は回動ガイドを示す底面斜視図。
【図７】開位置に位置する回動ガイドの支持構成を示す断面図。
【図８】（ａ）延長トレイが収納位置に位置し、回動ガイドが閉位置に位置する様子を示す斜視図、（ｂ）延長トレイが収納位置に位置し、回動ガイドが開位置に位置する様子を示す斜視図。
【図９】（ａ）延長トレイが引き出し位置に位置し、回動ガイドが閉位置に位置する様子を示す斜視図、（ｂ）延長トレイが引き出し位置に位置し、回動ガイドが開位置に位置する様子を示す斜視図。
【発明を実施するための形態】
【００１０】
［全体構成］
本実施の形態に係る画像形成装置としてのプリンタ２００は、電子写真方式のレーザビームプリンタである。プリンタ２００は、図１に示すように、プリンタ本体２０２と、プリンタ本体２０２の上部に装着される画像読取装置２０１と、を備えている。
【００１１】
プリンタ本体２０２は、シートに画像を形成する画像形成部２０５と、画像形成部２０５に給送されるシートを収容するカセット２０３と、を有しており、画像形成部２０５の上方には、シートが排出される排出トレイ２０４が設けられている。カセット２０３に収容されたシートは、不図示の給送ローラ等によって給送される。画像形成部２０５は、図示しないレーザ書き込み部、電子写真プロセス部、定着部等を内蔵しており、従来周知の電子写真方式によってカセット２０３から給送されたシートに画像を形成する。画像形成部２０５によって画像が形成されるシートは、画像読取装置２０１が画像を読み取る原稿とは別のシートである。
【００１２】
［画像読取装置］
次に、画像読取装置２０１について詳述する。画像読取装置２０１は、図２及び図３に示すように、原稿トレイ３０２に積載された原稿Ｇを給送し、原稿排出トレイ３０３に排出する自動原稿送り装置（以下、ＡＤＦとする）３００を有している。また、画像読取装置２０１は、ＡＤＦ３００によって搬送される原稿Ｇを読み取る読取ユニット３０１を備えている。なお、本実施の形態において、シートとは、画像形成部２０５によって画像が形成される記録材及び画像読取装置２０１によって画像が読み取られる原稿を含む。原稿は、白紙でも、片面又は両面に画像が形成されていてもよい。
【００１３】
ＡＤＦ３００は、図３に示すように、ピックアップローラ４０１と、分離ローラ対４０２と、複数の搬送ローラ対４０３，４０４，４０５と、排出ローラ対４０６と、プラテンガラス４０７に対向して配置される第２読取部４１０と、を有している。
【００１４】
読取ユニット３０１は、プラテンガラス４０７と、原稿Ｇを支持可能な原稿台ガラス４０８と、第１読取部４０９と、を有しており、読取部としての第１読取部４０９は、副走査方向Ｘに移動可能に構成されている。第１読取部４０９及び第２読取部４１０は、不図示の光源、光電変換素子等を内蔵しており、光電変換素子は、ＣＣＤセンサやＣＭＯＳセンサ等を適用可能である。光源から発せられた光は、原稿Ｇにより反射され、原稿Ｇからの反射光は光電変換素子に入射される。光電変換素子は、原稿Ｇからの反射光を光電変換することで、原稿Ｇの画像を画像情報として得ることができる。
【００１５】
プラテンガラス４０７及び原稿台ガラス４０８は、光を透過するガラス等の透明部材によって形成されている。また、ＡＤＦ３００によって搬送される原稿Ｇの画像を読み取る形態を流し読みといい、原稿台ガラス４０８に原稿を位置決めし、第１読取部４０９を副走査方向に移動させながら原稿の画像を読み取る形態を固定読みという。
【００１６】
固定読みの場合には、ユーザは、ＡＤＦ３００を読取ユニット３０１に対して上方に開いて、原稿台ガラス４０８に原稿を載置する。そして、ユーザは、不図示の操作パネルを操作することで、画像読取装置２０１による固定読みを開始する。固定読みが開始されると、第１読取部４０９が副走査方向Ｘに移動することで、原稿台ガラス４０８上の原稿の画像が読み取られる。
【００１７】
流し読みの場合には、ユーザは、原稿トレイ３０２に原稿Ｇを載置し、操作パネルを操作することで、画像読取装置２０１による流し読みを開始する。この際、第１読取部４０９は、プラテンガラス４０７の下方の位置で停止した状態で、画像の読取を行う。原稿トレイ３０２に載置された原稿Ｇは、ピックアップローラ４０１によって給送され、分離ローラ対４０２によって１枚ずつに分離される。そして、原稿Ｇは、搬送ローラ対４０３，４０４によってプラテンガラス４０７に搬送される。
【００１８】
原稿Ｇは、プラテンガラス４０７を介して第１読取部４０９によって第１面（表面）の画像が読み取られつつ、第２読取部４１０によって第２面（裏面）の画像が読み取られる。第１面及び第２面の画像が読取られた原稿Ｇは、搬送ローラ対４０５によって排出ローラ対４０６に搬送され、排出部としての排出ローラ対４０６によって機外に排出される。機外に排出された原稿Ｇは、第１支持部としての原稿排出トレイ３０３に積載される。なお、排出ローラ対４０６によって機外に排出される原稿Ｇは、例えば３４０ｍｍ／ｓよりも速く６５０ｍｍ／ｓよりも遅い速度で排出される。また、第２読取部４１０は、ＡＤＦ３００に形成された搬送路のどこに配置されてもよく、第２読取部４１０を省いてもよい。
【００１９】
［シート支持装置の構成］
次に、原稿排出トレイ３０３を含むシート支持装置５０の構成について図４乃至図７を参照しながら説明する。シート支持装置５０は、図４に示すように、排出ローラ対４０６（図３参照）と、排出ローラ対４０６によってシート排出方向ＳＤに排出された原稿を支持する原稿排出トレイ３０３と、延長トレイ１０３と、回動ガイド１０４と、を有する。
【００２０】
原稿排出トレイ３０３は、積載面１００と、積載面１００の幅方向Ｙにおける両端部に設けられ、積載面１００よりも上方に突出する１対の積載リブ１０１と、を有している。幅方向Ｙにおいて積載面１００の幅よりも小さいサイズの原稿は、積載面１００に積載される。幅方向Ｙにおいて積載面１００の幅よりも大きいサイズの原稿は、１対の積載リブ１０１に積載される。積載面１００に積載された原稿は、後述する開口部１０２が形成されているために、ユーザは開口部１０２に手を入れて容易に原稿を取り出すことができる。また、１対の積載リブ１０１に積載された原稿は、積載リブ１０１の上面１０１ａが下方に凹んだ形状を有することにより、原稿と上面１０１ａとの間の空間に手を入れて容易に原稿を取り出すことができる。
【００２１】
第２支持部としての延長トレイ１０３は、原稿排出トレイ３０３に対して収納及び引き出し可能に支持され、原稿を支持可能に構成されている。延長トレイ１０３は、原稿排出トレイ３０３に収納された収納位置（図８（ａ）の示す位置）と、原稿排出トレイ３０３から引き出された引き出し位置（図９（ａ）に示す位置）と、の間で移動可能である。
【００２２】
延長トレイ１０３は、原稿排出トレイ３０３に設けられた突き当て部３０３ａに突き当たることで収納位置に位置決めされ、収納規制部としての突き当て部３０３ａは、延長トレイ１０３の収納方向Ｄ１への移動を規制する。また、延長トレイ１０３は、図４及び図５に示すように、両側面にリブ１０３ａ，１０３ａを有しており、リブ１０３ａ，１０３ａが原稿排出トレイ３０３に設けられた係合部３０３ｂ，３０３ｂに係合することにより引き出し位置で位置決めされる。規制部としての係合部３０３ｂ，３０３ｂは、延長トレイ１０３の引き出し方向への移動を規制している。
【００２３】
なお、延長トレイ１０３を収納位置又は引き出し位置で保持する構成はこれに限定されず、スナップフィット等によって延長トレイ１０３を保持してもよい。また、延長トレイ１０３は、収納位置及び引き出し位置の２つの位置のみならず、収納位置と引き出し位置の間の１つ以上の位置で保持可能に構成されていてもよい。
【００２４】
延長トレイ１０３は、図５に示すように、引き出し方向Ｄ２に沿って延びるベース面１０３ｂと、ベース面１０３ｂに対して下方に窪んだ凹部１０３ｃと、シート排出方向において凹部１０３ｃの下流に配置される凸部１０３ｄと、を有している。凹部１０３ｃには、１対の軸受部６００と、軸受部６００よりもシート排出方向における上流に設けられる突き当て面６０２と、が形成されている。突き当て面６０２は、凹部１０３ｃの底面に形成される。凸部１０３ｄは、ベース面１０３ｂよりも上方に突出しており、シート排出方向における上流側に形成される突き当て面６０１と、ユーザが延長トレイ１０３を移動させる際に操作可能な指掛け部６０３と、を有している。操作部としての指掛け部６０３は、窪形状を有している。
【００２５】
開閉部材としての回動ガイド１０４は、図４及び図６（ａ）（ｂ）に示すように、一端部に設けられる１対の回動軸５００と、回動軸５００が先端に設けられ、細長形状に形成された１対の腕部５０１と、を有している。１対の腕部５０１を内側に弾性変形させることで、回動軸５００を延長トレイ１０３の軸受部６００に容易に組み付けることができる。これにより、回動ガイド１０４は、延長トレイ１０３に対して一端部としての回動軸５００を中心に閉位置（図８（ａ）に示す位置）と開位置（図８（ｂ）に示す位置）との間で開閉可能に支持される。
【００２６】
回動ガイド１０４は、閉位置に位置する際に、延長トレイ１０３の凹部１０３ｃに格納され、開位置に位置する際に、排出された原稿のシート排出方向における下流への移動を規制する。シート支持装置５０に排出された原稿は、開位置に位置する回動ガイド１０４に摺動することで減速し、場合によってはシート排出方向における上流に押し戻される。これにより、原稿は整合されて、シート支持装置５０からの落下が低減される。
【００２７】
回動ガイド１０４が閉位置に位置する際の上面側を第１面１０４ａ、第１面１０４ａとは反対側の面を第２面１０４ｂとする。この時、第１面１０４ａの回動軸５００とは反対側の他端部には、ユーザが回動ガイド１０４を開く際に操作可能な開閉操作部としての指掛け部５０４が形成されている。第１面１０４ａの一端部（回動軸５００）側には、延長トレイ１０３の突き当て面６０１に接触可能な接触面５０２が形成されている。
【００２８】
また、回動ガイド１０４の第２面１０４ｂには、排出された原稿が摺動可能な１対のリブ５０５，５０５が形成されており、第２面１０４ｂの一端部（回動軸５００）側には、延長トレイ１０３の突き当て面６０２に接触可能な接触面５０３が形成されている。
【００２９】
［開位置における回動ガイドの支持構成］
次に、開位置における回動ガイド１０４の支持構成について図７を用いて詳述する。図７に示すように、回動ガイド１０４が閉位置から開位置に開かれると、回動ガイド１０４の接触面５０２が延長トレイ１０３の突き当て面６０１に突き当たる。これにより、回動ガイド１０４は開位置に姿勢を保つことができる。
【００３０】
また、回動ガイド１０４が開位置に開かれると、回動ガイド１０４の接触面５０３が延長トレイ１０３の突き当て面６０２に突き当たる。すなわち、延長トレイ１０３は、開位置に位置する回動ガイド１０４のシート排出方向における上流側の面に形成された接触面５０３に当接する第１当接部としての突き当て面６０２を有する。また、延長トレイ１０３は、開位置に位置する回動ガイド１０４のシート排出方向における下流側の面に形成された接触面５０２に当接する第２当接部としての突き当て面６０１を有する。
【００３１】
このように、回動ガイド１０４が延長トレイ１０３に対してシート排出方向における上流側と下流側の２カ所で当接するため、回動ガイド１０４に作用する力を分散することができ、回動ガイド１０４の破損を防止できる。例えば回動ガイド１０４の組み付け時において回動ガイド１０４に対して開き方向ＯＰに大きな力が作用してしまった場合でも、回動ガイド１０４の腕部５０１への応力集中を小さくすることができ、腕部５０１の破損を防止できる。
【００３２】
より具体的には、回動ガイド１０４はＰＣ樹脂とＡＢＳ樹脂の両方の特徴を備えたＰＣ＋ＡＢＳ樹脂から構成される。例えば回動ガイド１０４が開位置に位置する際に、延長トレイ１０３に対して１箇所のみで突き当たる構成では、回動ガイド１０４に対して開き方向ＯＰに２〜３ｋｇｆの荷重が作用すると腕部５０１が破損してしまっていた。一方で、回動ガイド１０４が開位置に位置する際に、延長トレイ１０３に対して２箇所で突き当たる構成では、回動ガイド１０４に対して開き方向ＯＰに１０ｋｇｆの荷重が作用しても腕部５０１は破損しない。このように、ユーザが回動ガイド１０４に誤って大きな力を加えてしまった場合でも、壊れにくい回動ガイド１０４を得ることができる。
【００３３】
［開口部］
次に、原稿排出トレイ３０３に形成された開口部１０２について説明する。図４に示すように、原稿排出トレイ３０３の積載面１００には、開口部１０２が形成されており、開口部１０２は、延長トレイ１０３の収納方向Ｄ１に沿って積載面１００のシート排出方向における下流端１００ａから突き当て部３０３ａまで延びている。また、開口部１０２の幅方向Ｙにおける幅Ｗ１は、延長トレイ１０３の幅方向Ｙにおける幅Ｗ２よりも小さく、回動ガイド１０４の幅方向Ｙにおける幅Ｗ３よりも大きい。このように、開口部１０２は、閉位置から開位置に移動する回動ガイド１０４が通過可能に構成されている。
【００３４】
［延長トレイ及び回動ガイドの動作］
次に、延長トレイ１０３及び回動ガイド１０４の動作について詳述する。まず、図８（ａ）（ｂ）に示すように、延長トレイ１０３を収納位置で使用する場合の回動ガイド１０４の動作について説明する。
【００３５】
回動ガイド１０４を開位置に位置させて使用する場合には、ユーザは閉位置に位置する回動ガイド１０４の指掛け部５０４に指を掛けて回動ガイド１０４を開位置に移動させる。このとき、回動ガイド１０４の回動軸５００が設けられる一端部は、原稿排出トレイ３０３のシート排出方向における下流端３０３Ｒよりも上流に位置しているが、回動ガイド１０４は、閉位置から開口部１０２を通って開位置に移動することができる。
【００３６】
本実施の形態では、このように延長トレイ１０３が収納位置に位置しかつ回動ガイド１０４が開位置に位置した状態では、Ａ４Ｒサイズの原稿を使用すると好適である。ここで、Ａ４Ｒサイズの「Ｒ」の表記は、原稿の長辺と短辺の内、短辺をシート排出方向と直交する方向とした状態で、原稿トレイ３０２に原稿をセットして搬送する場合を示す。すなわち、図８（ｂ）に示す状態では、回動ガイド１０４によって、Ａ４Ｒサイズの原稿のシート排出方向における積載性を効果的に向上することができる。
【００３７】
次に、図９（ａ）（ｂ）に示すように、延長トレイ１０３を引き出し位置で使用する場合の回動ガイド１０４の動作について説明する。まず、延長トレイ１０３が収納位置に位置している場合には、ユーザは延長トレイ１０３の指掛け部６０３に指を掛けて延長トレイ１０３を引き出し位置まで引き出す。そして、ユーザは、閉位置に位置する回動ガイド１０４の指掛け部５０４に指を掛けて回動ガイド１０４を開位置に移動させる。このとき、回動ガイド１０４は、開口部１０２を通過する。
【００３８】
本実施の形態では、このように延長トレイ１０３が引き出し位置に位置しかつ回動ガイド１０４が開位置に位置した状態では、Ａ４Ｒサイズよりも大きなＬＧＬ（リーガル）サイズの原稿を使用すると好適である。すなわち、図９（ｂ）に示す状態では、回動ガイド１０４によって、ＬＧＬサイズの原稿のシート排出方向における積載性を効果的に向上することができる。
【００３９】
なお、上述の説明では、延長トレイ１０３が収納位置又は引き出し位置に位置する際に回動ガイド１０４が開かれる動作について説明したが、これに限定されない。すなわち、本実施の形態では、開口部１０２が原稿排出トレイ３０３の積載面１００の下流端１００ａから突き当て部３０３ａに亘って形成されている。このため、延長トレイ１０３が収納位置から引き出し位置の間のいずれの位置においても、回動ガイド１０４を閉位置から開位置に開くことができる。すなわち、開口部１０２は、延長トレイ１０３が引き出し位置よりも引き出し方向における上流に位置する際に、閉位置から開位置に移動する回動ガイド１０４が通過可能に構成される。
【００４０】
以上のように、本実施の形態は、延長トレイ１０３が引き出し位置に位置している時に限らず、引き出し位置以外の他の位置に位置している際にも、回動ガイド１０４を閉位置から開位置に移動させることができる。このため１種類のサイズの原稿だけでなく、複数のサイズの原稿に対応して、複数の位置において回動ガイド１０４を開位置で使用可能である。このため、複数のサイズの原稿の整合性及び積載性を効果的に向上することができる。
【００４１】
近年、排出ローラ対４０６による原稿の排出速度は、より高い生産性を求めるユーザの要望に応えるため、より速くなっている。例えば３４０ｍｍ／ｓよりも速く６５０ｍｍ／ｓよりも遅い速度で排出された原稿であっても、原稿のサイズに合わせて適切な位置に配置された回動ガイド１０４によって、原稿の整合性及び積載性を効果的に向上することができる。
【００４２】
また、延長トレイ１０３が収納位置に位置する際に回動ガイド１０４を開位置に開いてから、回動ガイド１０４を閉じることなく延長トレイ１０３を引き出し位置に移動させることができる。このため、ユーザによる延長トレイ１０３及び回動ガイド１０４の操作の順番が限定されず、ユーザビリティを向上できる。
【００４３】
また、開位置に位置する回動ガイド１０４が延長トレイ１０３の突き当て面６０１，６０２の２カ所で当接しているため、回動ガイド１０４に作用する力を分散することができ、回動ガイド１０４の破損を低減できる。これにより、上述のように回動ガイド１０４を先に開位置に位置させてから延長トレイ１０３を収納位置から引き出し位置に移動させる場合に、ユーザは回動ガイド１０４の指掛け部５０４を引っ張るだけでよい。このように回動ガイド１０４に荷重がかかる操作をしたとしても、回動ガイド１０４の破損を防ぎ、かつユーザビリティを向上することができる。
【００４４】
また、延長トレイ１０３に設けられた指掛け部６０３は、回動ガイド１０４が開位置に位置してもユーザが操作可能な位置に設けられているため、ユーザは延長トレイ１０３の指掛け部６０３を操作してもよいことはもちろんである。
【００４５】
なお、本実施の形態では、開口部１０２はコ字状に形成された切欠きによって構成されているが、開口部１０２の形状は限定されない。また、延長トレイ１０３に形成された突き当て面６０１，６０２の形状も限定されず、リブ等によって構成されてもよい。
【００４６】
また、既述のいずれの形態においても、電子写真方式のプリンタ２００を用いて説明したが、本発明はこれに限定されない。例えば、ノズルからインク液を吐出させることでシートに画像を形成するインクジェット方式の画像形成装置にも本発明を適用することが可能である。
【符号の説明】
【００４７】
５０：シート支持装置／１０２：開口部／１０３：第２支持部（延長トレイ）／１０３ｂ：ベース面／１０３ｃ：凹部／１０３ｄ：凸部／１０４：開閉部材（回動ガイド）/２００：画像形成装置（プリンタ）／２０１：画像読取装置／２０５：画像形成部／３０３：第１支持部（原稿排出トレイ）／３０３ａ：収納規制部（突き当て部）／３０３ｂ：規制部（係合部）／４０６：排出部（排出ローラ対）／４０９：読取部（第１読取部）／５００：一端部（回動軸）／５０４：開閉操作部（指掛け部）／６０１：第２当接部（突き当て面）／６０２：第１当接部（突き当て面）／６０３：操作部（指掛け部）／Ｄ１：収納方向／Ｄ２：引き出し方向／ＳＤ：シート排出方向／Ｗ１，Ｗ２，Ｗ３：幅／Ｙ：幅方向
【図１】
2020138834.tif 000003
【図２】
2020138834.tif 000004
【図３】
2020138834.tif 000005
【図４】
2020138834.tif 000006
【図５】
2020138834.tif 000007
【図６】
2020138834.tif 000008
【図７】
2020138834.tif 000009
【図８】
2020138834.tif 000010
【図９】
2020138834.tif 000011